(57)【要約】【課題】携帯端末を情報読取装置に対して簡単に組み付けることができ、かつ、その組み付け構造での耐久性を高め得る構成を提供する。【解決手段】携帯端末５０が組み付けられる第１組付面７１の裏面側となる第２組付面７２には、凸部９０と一対のレール８２ａ，８２ｂが形成され、当該アタッチメント６０が組み付けられる情報読取装置１０の上面１２ａには、一対のレール８２ａ，８２ｂを案内する一対の案内部４０ａ，４０ｂと、一対のレール８２ａ，８２ｂが一対の案内部４０ａ，４０ｂによりそれぞれ案内された状態で凸部９０に係合する凹部３０とが形成される。【選択図】図２
2020135299.tif 000002
【特許請求の範囲】
【請求項１】
携帯端末を情報読取装置に着脱可能に組み付けるためのアタッチメントであって、
前記携帯端末が組み付けられる第１組付面の裏面側となる第２組付面には、凸部と一対のレールが形成され、
当該アタッチメントが組み付けられる前記情報読取装置の一面には、前記一対のレールを案内する一対の案内部と、前記一対のレールが前記一対の案内部によりそれぞれ案内された状態で前記凸部に係合する凹部とが形成されることを特徴とするアタッチメント。
【請求項２】
前記第１組付面には、第１係合部が設けられ、
前記携帯端末の裏面には、前記第１係合部に係合する第２係合部が取り付けられ、
前記第１係合部及び前記第２係合部のいずれか一方には、基部と前記基部の先端側に設けられる複数の延出片とが形成され、他方には、前記基部の先端側及び前記複数の延出片が所定の深さまで入り込む開口と当該所定の深さまで入り込んだ前記基部を回転させた際に前記延出片が挟持される挟持部とが形成されることを特徴とする請求項１に記載のアタッチメント。
【請求項３】
前記第２係合部は、前記携帯端末を保護する保護カバーに設けられることを特徴とする請求項２に記載のアタッチメント。
【請求項４】
前記第１組付面には、雌ねじ部が設けられ、
前記携帯端末の裏面には、前記雌ねじ部を利用してねじ締結可能な締結部が取り付けられることを特徴とする請求項１に記載のアタッチメント。
【請求項５】
前記締結部は、前記携帯端末を保護する保護カバーに設けられることを特徴とする請求項４に記載のアタッチメント。
【請求項６】
前記案内部には、前記凸部が前記凹部に係合する際に、前記レールのスライド方向一側の端面に当接して前記スライド方向一側へのスライドを規制する当接面が形成され、
前記凸部は、弾性変形可能な弾性部の先端側に設けられて、前記当接面が前記レールのスライド方向一側の端面に当接する際に、凸部側係合面にて前記凹部のスライド方向他側の内面となる凹部側係合面に対して押圧され、前記凸部側係合面に連なり前記凹部の底面に対向する対向面が前記凸部側係合面に近くなるほど前記底面から離れるようにテーパ状に形成されるとともに、前記対向面と前記凸部側係合面との角部がＲ形状となるように形成され、
前記凹部は、前記底面から離れた凹部側係合面の角部がＲ形状となるように形成されることを特徴とする請求項１〜５のいずれか一項に記載のアタッチメント。
【請求項７】
前記レールには、スライド時に前記案内部に対して摺接する面に、スライド方向に伸びる突起が形成されることを特徴とする請求項１〜６のいずれか一項に記載のアタッチメント。
【請求項８】
請求項１〜７のいずれか一項に記載のアタッチメントが前記一面に組み付けられたことを特徴とする情報読取装置。
【発明の詳細な説明】
【技術分野】
【０００１】
本発明は、携帯端末を情報読取装置に組み付けるためのアタッチメント及びこのアタッチメントが組み付けられた情報読取装置に関するものである。
【背景技術】
【０００２】
近年、棚卸し作業等の作業効率の向上を図るため、商品等に付された無線タグや情報コード等の読取結果を利用した作業が頻繁に行われている。このような作業に用いる情報読取装置には、無線タグや情報コード等を読み取る機能に加えて、読取結果等に関する情報を表示する表示機能やテンキー等の文字入力機能、無線通信機能、大容量バッテリ等、様々な機能が要求されやすい。しかしながら、様々な機能を搭載した情報読取装置では、小型軽量化が困難になり、一部の機能しか利用しないユーザにとっては使い勝手が悪くなる場合がある。
【０００３】
このため、例えば、表示機能や文字入力機能等を除くことで小型軽量化が図られた情報読取装置に対して、ユーザが要求する機能を補完可能なスマートフォン等の携帯端末を着脱可能に組み付ける構成が考えられる。これにより、例えば、単に読み取ったデータをその都度上位機器等に送信するような読み取り作業では、携帯端末を装着しない状態の情報読取装置を用いて作業を行い、所定の作業を行う場合に携帯端末を装着した情報読取装置を用いて作業を行うことができ、ユーザの利便性を高めることができる。
【０００４】
このように、情報読取装置に対して携帯端末を着脱可能に組み付ける技術として、例えば、下記特許文献１に開示される光学情報読取装置が知られている。この光学情報読取装置は、ハンドヘルド型のバーコードリーダと市販のＰＤＡとを受台を介して結合することで構成される。この受台には、電力供給用の電源線や交信用の信号線が設けられており、バーコードリーダとＰＤＡとの間で相互に動作電力の供給が可能になっている。
【先行技術文献】
【特許文献】
【０００５】
【特許文献１】特開２００４−１０２４０３号公報
【発明の概要】
【発明が解決しようとする課題】
【０００６】
ところで、上述した特許文献１に開示される光学情報読取装置では、バーコードリーダと受台との結合構造やＰＤＡと受台との結合構造について具体的な検討がなされていない。このため、バーコードリーダと受台とを単に結合する構成やＰＤＡと受台とを単に結合する構成では、落下等の外力が作用する場合に、結合部分が破損等してしまう可能性がある。その一方で、結合部分の破損等を防止して耐久性を高めるために強固な結合構造を採用すると、着脱作業の簡素化が困難になり、ユーザの利便性が低下してしまうという問題がある。
【０００７】
本発明は、上述した課題を解決するためになされたものであり、その目的とするところは、携帯端末を情報読取装置に対して簡単に組み付けることができ、かつ、その組み付け構造での耐久性を高め得る構成を提供することにある。
【課題を解決するための手段】
【０００８】
上記目的を達成するため、特許請求の範囲の請求項１に記載の発明は、
携帯端末（５０）を情報読取装置（１０）に着脱可能に組み付けるためのアタッチメント（６０）であって、
前記携帯端末が組み付けられる第１組付面（７０）の裏面側となる第２組付面（８０）には、凸部（９０）と一対のレール（８２ａ，８２ｂ）が形成され、
当該アタッチメントが組み付けられる前記情報読取装置の一面（１２ａ）には、前記一対のレールを案内する一対の案内部（４０ａ，４０ｂ）と、前記一対のレールが前記一対の案内部によりそれぞれ案内された状態で前記凸部に係合する凹部（３０）とが形成されることを特徴とする。
なお、上記各括弧内の符号は、後述する実施形態に記載の具体的手段との対応関係を示すものである。
【発明の効果】
【０００９】
請求項１の発明では、携帯端末が組み付けられる第１組付面の裏面側となる第２組付面には、凸部と一対のレールが形成され、当該アタッチメントが組み付けられる情報読取装置の一面には、一対のレールを案内する一対の案内部と、一対のレールが一対の案内部によりそれぞれ案内された状態で凸部に係合する凹部とが形成される。
【００１０】
これにより、携帯端末が組み付けられたアタッチメントを、情報読取装置の一面に対して、凸部が凹部に係合するまで、一対のレールが一対の案内部によりそれぞれ案内されるようにスライドさせることで、アタッチメントが情報読取装置に組み付けられる結果、携帯端末が情報読取装置に組み付けられる。このため、携帯端末を情報読取装置に対して簡単に組み付けることができる。特に、凸部が凹部に係合する状態では、一対のレールが一対の案内部に接触した状態となるので、落下等の外力が作用する場合でも、その外力が凸部と凹部との係合部分だけでなく、レールと案内部との接触部分にも分散して作用するため、係合部分の破損等を抑制することができる。したがって、携帯端末を情報読取装置に対して簡単に組み付けることができ、かつ、その組み付け構造での耐久性を高めることができる。
【００１１】
請求項２の発明では、第１組付面には、第１係合部が設けられ、携帯端末の裏面には、第１係合部に係合する第２係合部が取り付けられる。そして、第１係合部及び第２係合部のいずれか一方には、基部と基部の先端側に設けられる複数の延出片とが形成され、他方には、基部の先端側及び複数の延出片が所定の深さまで入り込む開口と当該所定の深さまで入り込んだ基部を回転させた際に延出片が挟持される挟持部とが形成される。
【００１２】
これにより、基部の先端側及び複数の延出片を開口に入り込ませた後に回転させて各延出片をそれぞれ挟持部により挟持させることで、第１係合部と第２係合部とが係合するので、第１係合部が設けられるアタッチメントと第２係合部が取り付けられる携帯端末とを容易に組み付けることができ、かつ、その組み付け構造での耐久性を高めることができる。
【００１３】
請求項３の発明では、第２係合部は、携帯端末を保護する保護カバーに設けられるため、保護カバーを携帯端末に取り付けるだけで携帯端末の裏面に第２係合部を容易に取り付けることができる。
【００１４】
請求項４の発明では、第１組付面には、雌ねじ部が設けられ、携帯端末の裏面には、雌ねじ部を利用してねじ締結可能な締結部が取り付けられる。
【００１５】
これにより、締結部を雌ねじ部にねじ締結することで、雌ねじ部が設けられるアタッチメントと締結部が取り付けられる携帯端末とを容易に組み付けることができ、かつ、その組み付け構造での耐久性を高めることができる。
【００１６】
請求項５の発明では、締結部は、携帯端末を保護する保護カバーに設けられるため、保護カバーを携帯端末に取り付けるだけで携帯端末の裏面に締結部を容易に取り付けることができる。
【００１７】
請求項６の発明では、案内部には、凸部が凹部に係合する際に、レールのスライド方向一側の端面に当接してスライド方向一側へのスライドを規制する当接面が形成される。そして、凸部は、弾性変形可能な弾性部の先端側に設けられて、当接面がレールのスライド方向一側の端面に当接する際に、凸部側係合面にて凹部側係合面に対して押圧され、凸部側係合面に連なり凹部の底面に対向する対向面が凸部側係合面に近くなるほど底面から離れるようにテーパ状に形成されるとともに、対向面と凸部側係合面との角部がＲ形状となるように形成される。また、凹部は、底面から離れた凹部側係合面の角部がＲ形状となるように形成される。
【００１８】
これにより、アタッチメントに対してスライド方向他側への過剰な外力が作用する場合には、対向面と凸部側係合面との角部が凹部側係合面の角部を乗り越えやすくなる。すなわち、上述のような過剰な外力が作用する場合には、凸部と凹部との係合が解除されやすくなるので、凸部と凹部との係合が解除されないために凸部等が破損してしまうことを抑制することができる。
【００１９】
請求項７の発明では、レールには、スライド時に案内部に対して摺接する面に、スライド方向に伸びる突起が形成される。
【００２０】
これにより、スライド時にレールが案内部に摺接する部分が減るために、スライド時にレールと案内部との間で生じる摩擦抵抗を軽減することができるので、レールと案内部との接触部分を利用した外力の分散効果を維持しつつ、情報読取装置に対してアタッチメントをより容易に組み付けることができる。
【００２１】
請求項８の発明では、請求項１〜７のいずれか一項の効果を有するアタッチメントを組み付けた情報読取装置を実現することができる。
【図面の簡単な説明】
【００２２】
【図１】第１実施形態に係るアタッチメント及び情報読取装置を組み付けた状態を示す斜視図である。
【図２】図１のアタッチメント及び情報読取装置の側面図である。
【図３】図１のアタッチメント及び情報読取装置の平面図である。
【図４】図１のアタッチメント及び情報読取装置の正面図である。
【図５】図１のアタッチメント及び情報読取装置の背面図である。
【図６】図１の情報読取装置の側面図である。
【図７】図６の情報読取装置の平面図である。
【図８】図８（Ａ）は、情報読取装置の電気的構成を例示するブロック図であり、図８（Ｂ）は、無線タグ処理部の電気的構成を例示するブロック図であり、図８（Ｃ）は、情報コード読取部の電気的構成を例示するブロック図である。
【図９】携帯端末の電気的構成を例示するブロック図である。
【図１０】図１のアタッチメントの斜視図である。
【図１１】図１０のアタッチメントの側面図である。
【図１２】図１０のアタッチメントの平面図である。
【図１３】図１０のアタッチメントの底面図である。
【図１４】アタッチメントの係合部と携帯端末に取り付けられた係合部との係合状態を説明するための拡大断面図である。
【図１５】図２のＸ１−Ｘ１線相当の切断面についてレール８２ａの近傍を拡大して示す拡大断面図である。
【図１６】アタッチメントの凸部が情報読取装置の凹部に係合した状態を拡大して示す拡大断面図である。
【図１７】携帯端末が組み付けられていないアタッチメントを情報読取装置に対して組み付けた状態を示す斜視図である。
【図１８】締結用の貫通孔が設けられる保護カバーの一部を拡大して示す拡大断面図である。
【発明を実施するための形態】
【００２３】
［第１実施形態］
以下、本発明に係るアタッチメント及び情報読取装置を具現化した第１実施形態について、図面を参照して説明する。
本実施形態に係る情報読取装置１０は、ユーザによって携帯されて様々な場所で所定の情報を読み取る携帯型の読取装置として構成されており、アンテナ２６を介して送受信される電波を媒介としてＲＦＩＤタグ等の無線タグＴに記憶されている情報を読み取る無線タグリーダとしての機能に加えて、バーコードや二次元コードなどの情報コードＣを光学的に読み取る情報コードリーダとしての機能を兼ね備え、読み取りを二方式で行いうる構成となっている。特に、本実施形態では、情報読取装置１０は、表示機能や文字入力機能等を除くことで小型軽量化が図られるように構成されている。
【００２４】
また、本実施形態では、情報読取装置１０に対してユーザが所持する携帯端末５０を着脱可能に組み付けるためのアタッチメント６０が用意されている。すなわち、本実施形態では、図１〜図５に示すように、携帯端末５０がアタッチメント６０を介して情報読取装置１０に組み付けられた状態での使用と、図６及び図７に示すように、情報読取装置１０単体での使用とが想定されている。
【００２５】
まず、情報読取装置１０の詳細構成について、図面を参照して説明する。
図６及び図７に示すように、情報読取装置１０は、ＡＢＳ樹脂等の合成樹脂材料により形成される筐体１１によってその外郭が形成されている。この情報読取装置１０は、本体部１２および把持部１４に加えて、送信電波の高出力化を図るための無線通信部１６を備えるように構成されている。また、本体部１２の長手方向一端側（読取側：図６及び図７の左側）の端部には、情報コードからの反射光を取り込むための読取口１３が設けられている。
【００２６】
本体部１２の上面１２ａは、中央部が略平坦面状に形成されており、上面１２ａの長手方向一端側には、アタッチメント６０が係合する凹部３０が設けられている。また、上面１２ａの長手方向他端側（図６及び図７の右側）には、凹部３０を係合させる際にアタッチメント６０がスライド時に案内される一対の案内部４０ａ，４０ｂが本体部１２の長手方向に延びるように設けられている。このため、本実施形態では、スライド方向が本体部１２の長手方向に一致する。なお、凹部３０及び一対の案内部４０ａ，４０ｂの詳細形状については後述する。また、上面１２ａは、「情報読取装置の一面」の一例に相当し得る。
【００２７】
把持部１４は、本体部１２の下面１２ｂに対して中央近傍に組み付けられており、下面１２ｂ近傍であって無線通信部１６に対向する部位には、無線タグＴ等に対する読取処理を開始する際に操作されるトリガースイッチ２３ａが配置されている。無線通信部１６は、読取口１３の下方に位置するように、本体部１２の下面１２ｂの読取側に組み付けられている。
【００２８】
次に、情報読取装置１０の電気的構成について、図８（Ａ）〜（Ｃ）を参照して説明する。
本体部１２は、情報読取装置１０全体を制御する制御部２１を備えており、筐体１１内に収容されている。この制御部２１は、マイコンを主体として構成されるものであり、ＣＰＵ、システムバス、入出力インタフェース等を有し、半導体メモリ等からなる記憶部２２とともに情報処理装置を構成している。また、制御部２１には、図１０（Ａ）に示すように、操作部２３、ＬＥＤ２４ａ、バイブレータ２４ｂ、ブザー２４ｃ、外部インタフェース２５などが接続されている。
【００２９】
操作部２３は、トリガースイッチ２３ａ等を備えてその操作に応じた操作信号を制御部２１に対して与える構成をなしており、制御部２１は、この操作信号を受けて操作信号の内容に応じた動作を行う。また、ＬＥＤ２４ａ、バイブレータ２４ｂおよびブザー２４ｃは、制御部２１によって制御される構成をなしており、それぞれ、制御部２１からの指令を受けて動作する。外部インタフェース２５は、携帯端末５０や外部機器等との間での無線通信又は有線通信を行うためのインタフェースとして構成されており、制御部２１と協働して通信処理を行う構成をなしている。また、筐体１１内には、図略の電源部が設けられており、この電源部やバッテリによって制御部２１や各種電気部品に電力が供給されるようになっている。なお、バイブレータ２４ｂ等は、情報読取装置１０が用いられる環境等によってはあってもなくてもよい。
【００３０】
また、情報読取装置１０は、制御部２１により制御されて外部の情報を読み取り可能な情報読取部として機能する無線タグ処理部２７及び情報コード読取部２８を備えている。
【００３１】
まず、無線タグ処理部２７について、図８（Ｂ）を用いて説明する。
無線タグ処理部２７は、アンテナ２６及び制御部２１と協働して無線タグＴとの間で電磁波による通信を行ない、無線タグＴに記憶されるデータの読取り、或いは無線タグＴに対するデータの書込みを行なうように機能するものである。この無線タグ処理部２７は、公知の電波方式で伝送を行う回路として構成されており、図８（Ｂ）にて概略的に示すように、送信回路２７ａ、受信回路２７ｂ、整合回路２７ｃなどを有している。
【００３２】
送信回路２７ａは、キャリア発振器、符号化部、増幅器、送信部フィルタ、変調部などによって構成されており、キャリア発振器から所定の周波数のキャリア（搬送波）が出力される構成をなしている。また、符号化部は、制御部２１に接続されており、当該制御部２１より出力される送信データを符号化して変調部に出力している。変調部は、キャリア発振器からのキャリア（搬送波）、及び符号化部からの送信データが入力される部分であり、キャリア発振器より出力されるキャリア（搬送波）に対し、通信対象へのコマンド送信時に符号化部より出力される符号化された送信符号（変調信号）によってＡＳＫ（Amplitude Shift Keying）変調された被変調信号を生成し、増幅器に出力している。増幅器は、入力信号（変調部によって変調された被変調信号）を所定のゲインで増幅し、その増幅信号を送信部フィルタに出力しており、送信部フィルタは、増幅器からの増幅信号をフィルタリングした送信信号を、整合回路２７ｃを介してアンテナ２６に出力している。このようにしてアンテナ２６に送信信号が出力されると、その送信信号が送信電波として当該アンテナ２６より外部に放射される。
【００３３】
一方、アンテナ２６によって受信された応答信号は、整合回路２７ｃを介して受信回路２７ｂに入力される。この受信回路２７ｂは、受信部フィルタ、増幅器、復調部、二値化処理部、複号化部などによって構成されており、アンテナ２６を介して受信された応答信号を受信部フィルタによってフィルタリングした後、増幅器によって増幅し、その増幅信号を復調部によって復調する。そして、その復調された信号波形を二値化処理部によって二値化し、復号化部にて復号化した後、その復号化された信号を受信データとして制御部２１に出力している。
【００３４】
次に、情報コード読取部２８について、図８（Ｃ）を用いて説明する。
情報コード読取部２８は、情報コードを光学的に読み取るように機能するもので、図８（Ｃ）に示すように、複数個のＬＥＤやレンズ等から構成される照明部２８ａ、結像レンズ２８ｂ、ＣＣＤエリアセンサからなる受光センサ２８ｃなどを備えた構成をなしており、制御部２１と協働して読取対象Ｒに付された情報コードＣ（バーコードや二次元コード）を読み取るように機能する。
【００３５】
この情報コード読取部２８によって読み取りを行う場合、まず、制御部２１によって指令を受けた照明部２８ａから照明光Ｌｆが出射され、この照明光Ｌｆが読取口１３を通って読取対象Ｒに照射される。そして、照明光Ｌｆが情報コードＣにて反射した反射光Ｌｒは読取口１３を通って装置内に取り込まれ、結像レンズ２８ｂを通って受光センサ２８ｃに受光される。読取口１３と受光センサ２８ｃとの間に配される結像レンズ２８ｂは、情報コードＣの像を受光センサ２８ｃ上に結像させる構成をなしており、受光センサ２８ｃはこの情報コードＣの像に応じた受光信号を出力する。受光センサ２８ｃから出力された受光信号は、画像データとして記憶部２２に記憶され、情報コードＣに含まれる情報を取得するためのデコード処理に用いられるようになっている。なお、情報コード読取部２８には、受光センサ２８ｃからの信号を増幅する増幅回路や、その増幅された信号をデジタル信号に変換するＡＤ変換回路等が設けられているがこれらの回路については図示を省略している。
【００３６】
次に、携帯端末５０について、図９を参照して説明する。
携帯端末５０は、ユーザが所持するスマートフォンや業務用携帯端末等の携帯型の情報処理端末であって、情報読取装置１０の読取結果等を利用した処理を行うための所定のアプリケーションプログラム（以下、読取アプリともいう）がインストールされて構成されるものである。この携帯端末５０は、図９に示すように、ＣＰＵ等からなる制御部５１、ＲＯＭ，ＲＡＭ、不揮発性メモリなどからなる記憶部５２、受光センサ（例えば、Ｃ−ＭＯＳエリアセンサ、ＣＣＤエリアセンサ等）を備えたカメラとして構成される撮像部５３、液晶表示器などからなる表示部５４、各種操作キーやタッチパネル等（図示略）によって構成される操作部５５、情報読取装置１０等の外部機器との間での無線通信又は有線通信を行う通信インタフェースとして構成される通信部５６などを備えている。
【００３７】
このように構成される携帯端末５０の裏面５７には、図２等に示すように、アタッチメント６０に係合するための係合部５８が両面テープ等を用いて取り付けられている。この係合部５８の詳細形状については後述する。なお、係合部５８は、「第２係合部」の一例に相当し得る。
【００３８】
次に、アタッチメント６０の詳細構成について、図面を参照して説明する。
図１０〜図１３に示すように、アタッチメント６０は、略平板状に形成されており、上面が携帯端末５０に組み付けられる第１組付面７０として機能し、この第１組付面７０の裏面側となる下面が情報読取装置１０に組み付けられる第２組付面８０として機能するように構成されている。
【００３９】
第１組付面７０の中央近傍には、携帯端末５０に取り付けられた係合部５８が係合する係合部７１が設けられている。この係合部７１は、第１組付面７０に固定される基部７２と、基部７２の先端側に設けられる４つの延出片７３とを備えるように形成されている。また、第１組付面７０には、４つの雌ねじ部７４が設けられている。
【００４０】
これに対して、係合部５８には、図１４からわかるように、基部７２の先端側及び各延出片７３が所定の深さまで入り込む開口５８ａと、当該所定の深さまで入り込んだ基部７２を回転させた際に各延出片７３が挟持される挟持部５８ｂとが形成されている。なお、係合部７１は、「第１係合部」の一例に相当し、係合部５８は、「第２係合部」の一例に相当し得る。
【００４１】
第２組付面８０のスライド方向一端側（長手方向一端側：図１３の左側）には、弾性変形可能な略薄板状の弾性部８１が設けられており、この弾性部８１の先端側には、情報読取装置１０の凹部３０に係合可能なスナップフィットとして爪状の凸部９０が設けられている。また、第２組付面８０のスライド方向他端側（長手方向他端側：図１３の右側）には、短手方向両端となる位置に一対のレール８２ａ，８２ｂが設けられている。
【００４２】
一対のレール８２ａ，８２ｂは、情報読取装置１０の案内部４０ａ，４０ｂにそれぞれ摺接した状態で案内されるように形成されている。レール８２ａには、図１５に示すように、スライド時に案内部４０ａに対して摺接する面に、スライド時にレール８２ａと案内部４０ａとの間で生じる摩擦抵抗を軽減するため、スライド方向に伸びる突起８３が形成されている。同様に、レール８２ｂには、スライド時に案内部４０ｂに対して摺接する面に、スライド方向に伸びる突起８３が形成されている。
【００４３】
これに対して、案内部４０ａは、レール８２ａの先端側（図１５の右側）を挟み込むように形成されており、この案内部４０ａには、凸部９０が凹部３０に係合する際に、レール８２ａのスライド方向一側の端面８４ａ（図１３参照）に当接してスライド方向一側へのスライドを規制する当接面４１ａが形成されている（図７等参照）。同様に、案内部４０ｂは、レール８２ｂの先端側を挟み込むように形成されており、この案内部４０ｂには、凸部９０が凹部３０に係合する際に、レール８２ｂのスライド方向一側の端面８４ｂ（図１３参照）に当接してスライド方向一側へのスライドを規制する当接面４１ｂが形成されている（図７等参照）。
【００４４】
凸部９０は、図１６に示すように、当接面４１ａ，４１ｂがレール８２ａ，８２ｂのスライド方向一側の端面８４ａ，８４ｂにそれぞれ当接する際に、係合面９１にて凹部３０のスライド方向他側の内面となる係合面３１に対して弾性部８１による弾性力に応じて押圧されるように形成されている。また、凸部９０は、係合面９１に連なり凹部３０の底面３２に対向する対向面９２が係合面９１に近くなるほど底面３２から離れるようにテーパ状に形成されるとともに、対向面９２と係合面９１との角部９３がＲ形状となるように形成されている。なお、係合面９１は、「凸部側係合面」の一例に相当し、係合面３１は、「凹部側係合面」の一例に相当し得る。
【００４５】
これに対して、凹部３０は、底面３２から離れた係合面３１の角部３３がＲ形状となるように形成されている。また、凹部３０は、その深さ（角部３３から底面３２までの長さ）が、アタッチメント６０に対してスライド方向他側への過剰な外力等が作用する場合に凸部９０の角部９３が角部３３を乗り越える程度の長さに、設定されている。
【００４６】
次に、上述のように構成されるアタッチメント６０と情報読取装置１０との組み付けについて、図面を参照して詳述する。
アタッチメント６０を情報読取装置１０に組み付ける際には、アタッチメント６０の一対のレール８２ａ，８２ｂを情報読取装置１０の上面１２ａの案内部４０ａ，４０ｂに案内させるように嵌め込んだ状態で、アタッチメント６０を情報読取装置１０に対してスライド方向一側へスライドさせる。そして、レール８２ａの端面８４ａ及びレール８２ｂの端面８４ｂがそれぞれ案内部４０ａの当接面４１ａ及び案内部４０ｂの当接面４１ｂに当接するまでスライドさせることで、弾性部８１による弾性力に応じて、凸部９０が凹部３０に嵌まり込むようにして係合面９１が係合面３１に押圧される。これにより、図１７に示すように、情報読取装置１０に対するアタッチメント６０の組み付けが完了する。
【００４７】
続いて、係合部５８が裏面５７に取り付けられた携帯端末５０を用意する。そして、アタッチメント６０に設けられる係合部７１の基部７２の先端側及び各延出片７３を係合部５８の開口５８ａに対して所定の深さまで入り込ませた状態で回転させることで、各延出片７３がそれぞれ挟持部５８ｂに挟持された状態となる。これにより、図１等に示すように、アタッチメント６０を介した情報読取装置１０に対する携帯端末５０の組み付けが完了する。
【００４８】
このように情報読取装置１０に組み付けられた携帯端末５０に対して読取アプリを起動させる操作を行うことで、情報読取装置１０との間で無線通信を利用したデータ通信処理がなされ、情報読取装置１０の読取結果を利用した処理を携帯端末５０にて行うことができる。例えば、棚卸作業の際、情報読取装置１０にて読み取った無線タグＴに関する情報を表示部５４に表示させることで、棚卸作業の進捗状況などを確認することができる。また、携帯端末５０に対する所定の操作に応じて、読み取ったデータ等を情報読取装置１０から上位機器等に対して所定のタイミングで送信させることもできる。
【００４９】
また、情報読取装置１０単体で読取作業を行う場合には、係合部７１と係合部５８との係合を解除することでアタッチメント６０から携帯端末５０を取り外すか、アタッチメント６０までも取り外す。これにより、軽量化した情報読取装置１０単体にて読み取ったデータ等を、その都度又は所定のタイミングで上位機器等に送信するような読取作業を行うことができる。
【００５０】
以上説明したように、本実施形態に係るアタッチメント６０では、携帯端末５０が組み付けられる第１組付面７０の裏面側となる第２組付面８０には、凸部９０と一対のレール８２ａ，８２ｂが形成され、当該アタッチメント６０が組み付けられる情報読取装置１０の上面１２ａには、一対のレール８２ａ，８２ｂを案内する一対の案内部４０ａ，４０ｂと、一対のレール８２ａ，８２ｂが一対の案内部４０ａ，４０ｂによりそれぞれ案内された状態で凸部９０に係合する凹部３０とが形成される。
【００５１】
これにより、携帯端末５０が組み付けられたアタッチメント６０を、情報読取装置１０の上面１２ａに対して、凸部９０が凹部３０に係合するまで、一対のレール８２ａ，８２ｂが一対の案内部４０ａ，４０ｂによりそれぞれ案内されるようにスライドさせることで、アタッチメント６０が情報読取装置１０に組み付けられる結果、携帯端末５０が情報読取装置１０に組み付けられる。このため、携帯端末５０を情報読取装置１０に対して簡単に組み付けることができる。特に、凸部９０が凹部３０に係合する状態では、一対のレール８２ａ，８２ｂが一対の案内部４０ａ，４０ｂに接触した状態となるので、落下等の外力が作用する場合でも、その外力が凸部９０と凹部３０との係合部分だけでなく、レール８２ａ，８２ｂと案内部４０ａ，４０ｂとの接触部分にも分散して作用するため、係合部分の破損等を抑制することができる。したがって、携帯端末５０を情報読取装置１０に対して簡単に組み付けることができ、かつ、その組み付け構造での耐久性を高めることができる。
【００５２】
特に、本実施形態では、案内部４０ａ，４０ｂには、凸部９０が凹部３０に係合する際に、レール８２ａ，８２ｂのスライド方向一側の端面８４ａ，８４ｂに当接してスライド方向一側へのスライドを規制する当接面４１ａ，４１ｂがそれぞれ形成される。そして、凸部９０は、弾性変形可能な弾性部８１の先端側に設けられて、当接面４１ａ，４１ｂがレール８２ａ，８２ｂのスライド方向一側の端面８４ａ，８４ｂに当接する際に、係合面９１にて凹部３０の係合面３１に対して押圧され、係合面９１に連なり凹部３０の底面３２に対向する対向面９２が係合面９１に近くなるほど底面３２から離れるようにテーパ状に形成されるとともに、対向面９２と係合面９１との角部３３がＲ形状となるように形成される。また、凹部３０は、底面３２から離れた係合面３１の角部３３がＲ形状となるように形成される。
【００５３】
これにより、アタッチメント６０に対してスライド方向他側への過剰な外力が作用する場合には、対向面９２と係合面９１との角部９３が係合面３１の角部３３を乗り越えやすくなる。すなわち、上述のような過剰な外力が作用する場合には、凸部９０と凹部３０との係合が解除されやすくなるので、凸部９０と凹部３０との係合が解除されないために凸部９０等が破損してしまうことを抑制することができる。
【００５４】
さらに、本実施形態では、レール８２ａ，８２ｂには、スライド時に案内部４０ａ，４０ｂに対して摺接する面に、スライド方向に伸びる突起８３がそれぞれ形成される。
【００５５】
これにより、スライド時にレール８２ａ，８２ｂが案内部４０ａ，４０ｂに摺接する部分が減るために、スライド時にレール８２ａ，８２ｂと案内部４０ａ，４０ｂとの間で生じる摩擦抵抗を軽減することができるので、レール８２ａ，８２ｂと案内部４０ａ，４０ｂとの接触部分を利用した外力の分散効果を維持しつつ、情報読取装置１０に対してアタッチメント６０をより容易に組み付けることができる。
【００５６】
また、本実施形態では、第１組付面７０には、係合部７１が設けられ、携帯端末５０の裏面５７には、係合部７１に係合する係合部５８が取り付けられる。そして、係合部７１には、基部７２と基部７２の先端側に設けられる複数の延出片７３とが形成され、係合部５８には、基部７２の先端側及び複数の延出片７３が所定の深さまで入り込む開口５８ａと当該所定の深さまで入り込んだ基部７２を回転させた際に延出片７３が挟持される挟持部５８ｂとが形成される。
【００５７】
これにより、基部７２の先端側及び複数の延出片７３を開口５８ａに入り込ませた後に回転させて各延出片７３をそれぞれ挟持部５８ｂにより挟持させることで、係合部７１と係合部５８とが係合するので、係合部７１が設けられるアタッチメント６０と係合部５８が取り付けられる携帯端末５０とを容易に組み付けることができ、かつ、その組み付け構造での耐久性を高めることができる。
【００５８】
なお、係合部５８は、両面テープ等を用いて裏面５７に取り付けられることに限らず、例えば、当該係合部５８を設けた保護カバーにて携帯端末５０の裏面５７等を保護することで裏面５７に取り付けられてもよい。このように、係合部５８が携帯端末５０を保護する保護カバーに設けられるため、保護カバーを携帯端末５０に取り付けるだけで携帯端末５０の裏面５７に係合部５８を容易に取り付けることができる。
【００５９】
また、基部７２及び複数の延出片７３を備えるように係合部５８が形成され、開口５８ａ及び挟持部５８ｂを備えるように係合部７１が形成されてもよい。このようにしても、係合部７１が設けられるアタッチメント６０と係合部５８が取り付けられる携帯端末５０とを容易に組み付けることができ、かつ、その組み付け構造での耐久性を高めることができる。なお、この場合には、係合部５８は、「第１係合部」の一例に相当し、係合部７１は、「第２係合部」の一例に相当し得る。
【００６０】
本実施形態の変形例として、アタッチメント６０と携帯端末５０とは、係合部７１及び係合部５８を利用して組み付けられることに限らず、他の組み付け構造を利用して組み付けられてもよい。例えば、係合部７１及び係合部５８を廃止して、第１組付面７０に設けられる各雌ねじ部７４にねじ締結可能な締結部を携帯端末５０の裏面５７に取り付けることができる。
【００６１】
これにより、締結部を雌ねじ部７４にねじ締結することで、雌ねじ部７４が設けられるアタッチメントと締結部が取り付けられる携帯端末とを容易に組み付けることができ、かつ、その組み付け構造での耐久性を高めることができる。
【００６２】
締結部を携帯端末５０の裏面５７に取り付ける構造としては、例えば、図１８に例示するように、携帯端末５０を保護する保護カバー５９に締結部として締結用の貫通孔５９ａを設け、貫通孔５９ａに挿通するねじ５９ｂを雌ねじ部７４に締結する構造が考えられる。このように、締結用の貫通孔５９ａが携帯端末５０を保護する保護カバー５９に設けられるため、保護カバー５９を携帯端末５０に取り付けるだけで携帯端末５０の裏面５７に締結部を容易に取り付けることができる。
【００６３】
なお、本発明は上記実施形態及びその変形例等に限定されるものではなく、例えば、以下のように具体化してもよい。
（１）本実施形態に係るアタッチメント６０が組み付けられる情報読取装置は、無線タグリーダライタ及び情報コードリーダの双方の機能を兼備するように構成されることに限らず、例えば、無線タグリーダライタ及び情報コードリーダのいずれか一方の機能を有するように構成されてもよいし、さらに他の機能を有するように構成されてもよい。
【００６４】
（２）凸部９０は、第２組付面８０のスライド方向一端側に１つ設けられることに限らず、２以上設けられてもよい。この場合には、同数の凹部３０が情報読取装置１０の上面１２ａの対応する位置にそれぞれ設けられる。また、凸部９０は、弾性部８１とともにスナップフィット状に形成されることに限らず、凹部３０に係合可能な形状であればよい。
【００６５】
（３）レール８２ａには、スライド時に案内部４０ａに対して摺接する面に、スライド方向に伸びる突起８３が１つ形成されることに限らず、突起８３が２以上形成されてもよい。同様に、レール８２ｂには、スライド時に案内部４０ｂに対して摺接する面に、スライド方向に伸びる突起８３が１つ形成されることに限らず、突起８３が２以上形成されてもよい。
【００６６】
（４）アタッチメント６０は、情報読取装置１０の上面１２ａに組み付けられることに限らず、例えば、情報読取装置１０の側面のうちユーザから見て手前側の一面に組み付けられてもよい。この場合、凹部３０及び一対の案内部４０ａ，４０ｂは、上記手前側の一面に設けられる。
【符号の説明】
【００６７】
１０…情報読取装置
１２ａ…上面（一面）
３０…凹部
３１…係合面（凹部側係合面）
３２…底面
３３…角部
４０ａ，４０ｂ…案内部
４１ａ，４１ｂ…当接面
５０…携帯端末
５８…係合部（第２係合部）
５９…保護カバー
５９ａ…締結用の貫通孔（締結部）
６０…アタッチメント
７０…第１組付面
７１…係合部（第１係合部）
７４…雌ねじ部
８０…第２組付面
８１…弾性部
８２ａ，８２ｂ…レール
８３…突起
８４ａ，８４ｂ…端面
９０…凸部
９１…係合面（凸部側係合面）
９２…対向面
９３…角部
【図１】
2020135299.tif 000003
【図２】
2020135299.tif 000004
【図３】
2020135299.tif 000005
【図４】
2020135299.tif 000006
【図５】
2020135299.tif 000007
【図６】
2020135299.tif 000008
【図７】
2020135299.tif 000009
【図８】
2020135299.tif 000010
【図９】
2020135299.tif 000011
【図１０】
2020135299.tif 000012
【図１１】
2020135299.tif 000013
【図１２】
2020135299.tif 000014
【図１３】
2020135299.tif 000015
【図１４】
2020135299.tif 000016
【図１５】
2020135299.tif 000017
【図１６】
2020135299.tif 000018
【図１７】
2020135299.tif 000019
【図１８】
2020135299.tif 000020